(57)【要約】【課題】  パッド部のパターンに制約されずに種々カードをグランドライン及び信号ラインを短絡させる危険性無く使用でき、しかもカードを安定して接触保持し得る操作性及び耐久性の優れた信頼性高いカードコネクタを提供すること。【解決手段】このカードコネクタの場合、カード８のパッド部９のパターンがカバー３におけるカード保持部５から幾分隔てられてカード保持部４寄りに位置された形態となっていても、カード保持部４の折り返し端片部４′の傾いた面（カバー３の主面と平行な面に対して角度θだけ外方へ傾いている）でカード８の長手方向における周縁を支持することができるため、グランドライン及び信号ラインを短絡させる危険性無くカード８を使用することができ、しかもカバー３の係止部１０ａ，１０ｂの穴部がインシュレータ１の爪部に係止された状態でカード８のパッド部９が各コンタクト２の接触部に安定して接触維持される。【選択図】  図２
2006085987.tif 000002
【特許請求の範囲】
【請求項１】
所定数のコンタクトが設けられたインシュレ−タと、前記インシュレ−タに対して回転可能であって、且つ回転操作に伴って係止可能であるように設けられると共に、カードを保持するために長手方向の対向する側部から断面略コ字状となるように折り返されて形成された第１のカード保持部及び第２のカード保持部を有するカバーとを備え、更に、前記カードを前記第１のカード保持部及び前記第２のカード保持部により保持した前記カバーの前記インシュレ−タに対する係止状態で該カードに設けられたパッド部に該インシュレ−タに設けられた前記所定数のコンタクトが接触される構造のカードコネクタにおいて、前記第１のカード保持部及び前記第２のカード保持部のうちの少なくとも前記カードの前記パッド部に接近する側のものは、前記カバーの主面と平行な折り返し端片部の面が外方へ傾斜するように所定の角度で折り曲げられて形成されたことを特徴とするカードコネクタ。
【請求項２】
請求項１記載のカードコネクタにおいて、前記カバーは、順送プレス型により打ち抜き加工及び曲げ加工を経て形成されるものであり、前記折り返し端片部にあっての前記所定の角度は、前記曲げ加工により設定変更可能とされるものであることを特徴とするカードコネクタ。
【発明の詳細な説明】
【技術分野】
【０００１】
本発明は、主として所定数のコンタクトが設けられたインシュレ−タに対して回転可能であって、且つ回転操作に伴って係止可能であるように設けられたカバーのカード保持部によりＩＣカード，ＳＩＭカード等のカードを保持できると共に、カバーのインシュレ−タに対する係止（ロック）状態でカードのパッド部に各コンタクトが接触される構造のカードコネクタに関する。
【背景技術】
【０００２】
従来、この種のカードコネクタの一例としては、インシュレ−タに対して回転可能なカバーの長手方向の側部から内側へ断面略コ字状となるように折り返してカード収容手段を形成することにより、長手方向の寸法及び垂直方向（背高）の寸法を小さくできると共に、一様な接触圧力が得られる構成のスマートカードコネクタ（特許文献１参照）が挙げられる。
【０００３】
又、カードコネクタの他例としては、開放状態のカバーにカード収容手段（カード保持手段）を設けることなく、インシュレ−タの一面上の一側部分に断面コ字状の保持部を設け、インシュレ−タに対して回転可能なカバーにはカードの他端部を保持部側へ押圧し、且つカードをインシュレ−タの一面に対して押圧保持する押圧手段を設けることにより、カードを押圧する押付け力を低減させた構成のカード接続用コネクタ（特許文献２参照）が挙げられる。
【０００４】
【特許文献１】特開２０００−２６０５３７号公報（第４頁、図１）
【特許文献２】特開２００３−３０３６４５号公報（要約、図１）
【発明の開示】
【発明が解決しようとする課題】
【０００５】
上述した特許文献１に係るカードコネクタの場合、全体の小型化（特に薄型化）を図るためには有効であるが、構造上、金属製カバーの長手方向の側部から内側へ断面略コ字状となるように折り返されて形成されたカード収容手段（カード保持手段）を有するため、カバーをグランドラインに接続する構造（今後、機器の省電力化を進める過程で動作電力を低くした場合に微小な電気信号が外部からのノイズによる影響を受け易くなるのを防止するために外部からのノイズをシールドする構造）とすると、カードの種類によってはパッド部が周縁部近傍に及んで形成されているものもあり、こうしたカードを使用対象にしようとすれば、側部にあってのカバーの短手方向への張り出し分の局部がカードのパッド部に接触してグランドライン及び信号ラインが短絡してしまって適用できなくなってしまうという問題がある。
【０００６】
ここで、カード保持手段とこれに保持されるカードとの隙間を大きく取り、カードが所定の位置に固定された際にカードとカバーとの間に充分な隙間を設けるような構造を採用すれば、グランドライン及び信号ラインの短絡を或る程度防止できるようになるが、こうした構造であれば、カバーの開放状態でカードとカバーとのがたつきが大きくなって操作性が損われ易くなるだけでなく、保持精度も損われ易くなるために余り好ましくない。
【０００７】
又、特許文献２に係るカード接続用コネクタの場合、カバーにカード収容手段（カード保持手段）が持たされる構造でなく、インシュレータに設けられた保持部とカバーに設けられた押圧手段とが協働してカードをインシュレ−タの一面に対して押圧保持する構造であるために先の特許文献１に係るカードコネクタの場合のようにパッド部が周縁部近傍に及んで形成されたカードを対象にしても適用できるという利点はあるが、その反面、金属製カバーの局部に対する切り起こしで形成される構造の押圧手段では使用途中で形状が変形し易く、こうした条件下で使用し続けると押圧手段によるカードへの付勢力がまちまちにばらつき易く、場合によっては接触不良を起こす危険性がある等、構造的にカードを安定して固定するための操作性や耐久性及び信頼性に欠けるという難点がある。
【０００８】
本発明は、このような問題点を解決すべくなされたもので、その技術的課題は、パッド部のパターンに制約されずに種々カードをグランドライン及び信号ラインを短絡させる危険性無く使用でき、しかもカードを安定して接触保持し得る操作性及び耐久性の優れた信頼性高いカードコネクタを提供することにある。
【課題を解決するための手段】
【０００９】
本発明によれば、所定数のコンタクトが設けられたインシュレ−タと、インシュレ−タに対して回転可能であって、且つ回転操作に伴って係止可能であるように設けられると共に、カードを保持するために長手方向の対向する側部から断面略コ字状となるように折り返されて形成された第１のカード保持部及び第２のカード保持部を有するカバーとを備え、更に、カードを第１のカード保持部及び第２のカード保持部により保持したカバーのインシュレ−タに対する係止状態で該カードに設けられたパッド部に該インシュレ−タに設けられた所定数のコンタクトが接触される構造のカードコネクタにおいて、第１のカード保持部及び第２のカード保持部のうちの少なくともカードのパッド部に接近する側のものは、カバーの主面と平行な折り返し端片部の面が外方へ傾斜するように所定の角度で折り曲げられて形成されたカードコネクタが得られる。
【００１０】
又、本発明によれば、上記カードコネクタにおいて、カバーは、順送プレス型により打ち抜き加工及び曲げ加工を経て形成されるものであり、折り返し端片部にあっての所定の曲げ角度は、曲げ加工により設定変更可能とされるカードコネクタが得られる。
【発明の効果】
【００１１】
本発明のカードコネクタの場合、特許文献１に示される基本構造のものにおけるカバーに設けられる断面略コ字状のカード収容手段（カード保持手段）の細部構造を改良し、少なくともカードのパッド部に接近する側のものをカバーの主面と平行な折り返し端片部の面が外方へ傾斜するように所定の角度で折り曲げられて形成されるようにしているため、カード保持部の折り返し端片部がカードの長手方向における周縁を支持してカード保持部の折り返し端片部がカードのパッド部に接触することが無くなり、グランドライン及び信号ラインを短絡させる危険性無くカードを使用することができ、しかも従来通りにカバーの係止状態でカードのパッド部がインシュレータのコンタクトの接触部に安定して接触維持することができるようになり、パッド部のパターンに制約されずに種々カードを操作性及び耐久性の優れたものとして信頼性高く使用できるという格別な効果を奏する。又、ここでのカバーは、通常の順送プレス型により打ち抜き加工及び曲げ加工を経て形成可能なものであり、曲げ加工により折り返し端片部にあっての所定の角度は任意に設定変更可能とされるものであるため、幾分厚さの異なるカードを対象にしてもそれに見合った曲げ角度を低コストで簡易に設定でき、結果としてパッド部のパターンや厚さの異なる様々なタイプのカードを対象にして使用できるようになる。
【発明を実施するための最良の形態】
【００１２】
本発明の最良の形態に係るカードコネクタは、所定数のコンタクトが設けられたインシュレ−タと、インシュレ−タに対して回転可能であって、且つ回転操作に伴って係止可能であるように設けられると共に、カードを保持するために長手方向の対向する側部から断面略コ字状となるように折り返されて形成された第１のカード保持部及び第２のカード保持部を有するカバーとを備え、更に、カードを第１のカード保持部及び第２のカード保持部により保持したカバーのインシュレ−タに対する係止状態でカードに設けられたパッド部にインシュレ−タに設けられた所定数のコンタクトが接触される構造を持つもの（即ち、特許文献１に示される基本構造のもの）において、第１のカード保持部及び第２のカード保持部の少なくともカードのパッド部に接近する側のものは、カバーの主面と平行な折り返し端片部の面が外方へ傾斜するように所定の曲げ角度で折り曲げられて形成されたものである。但し、このカードコネクタにおいて、カバーは、順送プレス型により打ち抜き加工及び曲げ加工を経て形成され、折り返し端片部にあっての所定の角度が曲げ加工により設定変更可能されることは好ましい。
【００１３】
即ち、ここでのカードコネクタは、周知のカバーに設けられる断面略コ字状のカード保持手段の細部構造を改良し、少なくともカードのパッド部に接近する側のものをカバーの主面と平行な折り返し端片部の面が外方へ傾斜するように所定の角度で折り曲げられて形成されたものとすることにより、カードのパッド部のパターンに制約されずに接触保持を行わせるものであり、しかも必要に応じて予め曲げ加工により折り返し端片部にあっての所定の角度を設定変更しておくことにより、厚さの異なるカードを対象にしても適用可能とするものである。
【実施例１】
【００１４】
図１は、本発明の実施例１に係るカードコネクタの外観構成を示した斜視図であり、同図（ａ）はカバー３の開放状態に関するもの，同図（ｂ）はカバー３の係止（ロック）状態に関するものである。又、図２は、このカードコネクタにあってのカード８を保持した後の外観構成を示した斜視図であり、同図（ａ）はカバー３の開放状態に関するもの，同図（ｂ）はカバー３の係止状態に関するものである。更に、図３は、このカードコネクタのカバー３の係止状態における基本構成を示した６面図であり、同図（ａ）は背面方向からの端面図に関するもの，同図（ｂ）は左側面図に関するもの，同図（ｃ）は外側主面方向からの平面図に関するもの，同図（ｄ）は右側面図に関するもの，同図（ｅ）は正面方向からの端面図に関するもの，同図（ｆ）は内側主面方向からの平面図に関するものである。
【００１５】
このカードコネクタの場合も、基本構造上は概ね特許文献１に係るものと同様であり、所定数（ここでは６本）のコンタクト２が設けられたインシュレ−タ１と、インシュレ−タ１に対して回転可能であって、且つ回転操作に伴って係止可能であるように設けられると共に、カード８を保持するために長手方向の対向する側部から断面略コ字状となるように折り返されて形成された第１のカード保持部４及び第２のカード保持部５を有するカバー３とを備え、カード８を第１のカード保持部４及び第２のカード保持部５により保持したカバー３のインシュレ−タ１に対する係止状態でカード８に設けられたパッド部９にインシュレ−タ１に設けられた各コンタクト２が接触される構造を持つ。
【００１６】
但し、ここでのカード８のパッド部９に接近する側のカード保持部４は、カード８のパッド部９から隔てられた側のカード保持部５の折り返し端片部５′の面がカバー３の主面と平行に形成されているのに対し、折り返し端片部４′の面がカバー３の主面と平行な面に対して外方へ傾斜するように所定の角度で折り曲げられて形成されている。又、ノイズ対策のためにカードコネクタを搭載する図示されないプリント配線回路基板のグランドラインに後述するカバー３の係止部１０ａ，１０ｂの係止状態で電気的に接続される構造となっている。
【００１７】
このうち、カバー３については、開放状態でカード８の主面が接触する長方形状の主面における所定の箇所（ここでは６箇所）に楕円形の接触部逃し穴６が長さ方向の両端側にそれぞれ３個ずつ並設されている他、主面にあっての長手方向の対向する側部からカード保持部４，５を挟むようにして、回転軸側には先端部の内側箇所に軸部９ａ，９ｂが一体的に設けられたアーム部７ａ，７ｂが主面にあっての長手方向の寸法を越えて主面に対して垂直な方向へ延在するように折り曲げ形成されると共に、回転軸から隔てられた開放端側には係止部１０ａ，１０ｂが主面に対して垂直な方向の局部から平行な部分が外方へ延在するように折り曲げ形成されている。因みに、ここでの接触部逃し穴６は、カード８を保持していないカバー３の係止状態で各コンタクト２の隆起した接触部をカバー３の主面で押圧させないようにして各コンタクト２の接触部における弾性復元力を保持するために設けられており、係止部１０ａ，１０ｂの主面に対する垂直な方向の局部から平行な部分にかけての所定箇所に設けられた穴部は、カバー３の係止状態でインュレータ１側の隅部近傍に設けられた爪部に嵌合挿入されるようになっている。
【００１８】
尚、インシュレータ１側の細部構成においては、カバー３を回転操作可能にするためのカバー３におけるアーム部７ａ，７ｂの軸部９ａ，９ｂを取り付け挿入するための凹所が長手方向の一端側に設けられ、カバー３を係止状態にするためのカバー３における係止部１０ａ，１０ｂの穴部に嵌合挿入される爪部が長手方向の他端側の所定箇所に設けられるものである他、カバー３の係止状態で各コンタクト２の隆起した接触部をカバー３における接触部逃し穴６から露呈させるための各コンタクト２の形状及び配置にも工夫を要するものであるが、これらの細部は例えば特許文献２に開示されたものをそのまま適用したり、或いは幾分変形することで対応できるので、ここでは詳述しない。
【００１９】
図４は、このカバー３の細部構成を示した斜視図であり、同図（ａ）は外側主面方向に関するもの，同図（ｂ）は内側主面方向に関するものである。又、図５は、カバー３の基本構成を示した３面図であり、同図（ａ）は外側主面方向からの平面図に関するもの，同図（ｂ）は右側面図に関するもの，同図（ｃ）は正面方向からの端面図に関するものである。更に、図６は、図５（ｃ）中に示す局部領域Ｅの細部構成を一部破断して示した拡大図であり、同図（ａ）は正面方向からの端面図に関するもの，同図（ｂ）は正面斜め方向からの斜視図に関するものである。
【００２０】
即ち、図４（ａ），（ｂ）及び図５（ａ），（ｂ）は、上述したカバー３の細部構造を示すものとなっており、特に図４（ｂ）においては、カード８のパッド部９から離間されている側のカード保持部５の場合、カバー３の主面と平行となるように折り返し端片部５′の面が形成されているのに対し、カード８のパッド部９に接近する側のカード保持部４の場合、カバー３の主面と平行な面に対して折り返し端片部４′の面が外方へ傾斜するように所定の角度で折り曲げられて形成されている様子が大まかに示されている。
【００２１】
このカード保持部４の折り返し端片部４′の面における傾きについては、図６（ａ），（ｂ）に明瞭に示される通りである。具体的に言えば、ここではカード８を保持するためのケース３内側の挿入空間を開放部とみなした場合、図６（ａ）に示されるように折り返し端片部４′の面が従来の場合のカバー３の主面と平行な面に対して角度θだけ外方へ傾けて開放部を拡大させており、この傾いた折り返し端片部４′の面でカード８の長手方向における周縁を支持することを示している。
【００２２】
要するに、実施例１に係るカードコネクタでは、カード８のパッド部９のパターンが全体的にカバー３におけるカード保持部５側から幾分隔てられてカード保持部４側寄りに位置された形態となっていても、カード保持部５の折り返し端片部５′の平坦な面でカード８の長手方向における一方側の周縁近傍を支持すると共に、カード保持部４の折り返し端片部４′の傾いた面でカード８の長手方向における他方側の周縁を支持することができるため、カード保持部４の折り返し端片部４′がカード８のパッド部９に接触すること無く、グランドライン及び信号ラインを短絡させる危険性無くカード８を使用することができ、しかもカバー３の係止部１０ａ，１０ｂの穴部がインシュレータ１の爪部に係止された状態でカード８のパッド部９が各コンタクト２の接触部に安定して接触維持されるため、操作性及び耐久性の優れた信頼性高いものとなる。
【００２３】
図７は、実施例１に係るカードコネクタにおけるカバー３の内側主面方向にあってのパッド部１９のパターンが異なる別のカード１８を保持した状態を示した斜視図である。又、図８は、ここでのカバー３にあってのカード１８を保持した状態におけるカード保持部４とカード１８のパッド部１９との位置関係を一部破断して示した要部の拡大斜視図である。
【００２４】
ここでは、図７に示されるように、カード１８として、パッド部１９のパターンが先に説明したカード８のパッド部９のパターンよりも更にカード保持部４側寄りに位置されており、カード１８の長手方向の外形とパッド部１９との間の距離Ｌが狭いミニＵＩＣＣ（ミニユニバーサルＩＣカード）と呼ばれるタイプのものを使用した場合においても、図８に示されるように、カード保持部４の折り返し端片部４′がカード１８のパッド部１９に接触すること無くカード１８の周縁を支持するため、グランドライン及び信号ラインを短絡させる危険性無くカード１８を使用することができ、しかもカバー３の係止部１０ａ，１０ｂの係止動作により同様に操作性及び耐久性の優れた信頼性高いものとなることを示している。
【００２５】
因みに、このようなカードコネクタでの使用対象となるカードのパッド部のパターンは、将来的に様々なタイプのものが出現すると想定されるが、仮にカードのパッド部のパターンが上述した場合と反対にカード保持部５側寄りに位置される場合には、カード保持部５の折り返し端片部５′の方を外方へ所定の角度θだけ傾斜させれば良く、更にカードのパッド部のパターンがカード保持部４，５の両方側寄りに位置される場合には、カード保持部４，５の折り返し端片部４′，５′の両方を外方へ所定の角度θだけ傾斜させるようにすれば良い。
【００２６】
ところで、このような何れのタイプのカバー３についても、通常の順送プレス型により打ち抜き加工及び曲げ加工を経て形成することができる。従って、カバー３におけるカード保持部４，５の折り返し端片部４′，５′にあっての傾斜に要する所定の角度θ（或いは傾斜させない場合を含む）は、上述したカードのパッド部のパターンやカードの厚さ等に応じて適宜曲げ加工により設定変更することが望ましい。
【図面の簡単な説明】
【００２７】
【図１】本発明の実施例１に係るカードコネクタの外観構成を示した斜視図であり、（ａ）はカバーの開放状態に関するもの，（ｂ）はカバーの係止状態に関するものである。
【図２】図１に示すカードコネクタにあってのカードを保持した後の外観構成を示した斜視図であり、（ａ）はカバーの開放状態に関するもの，（ｂ）はカバーの係止状態に関するものである。
【図３】図１に示すカードコネクタのカバーの係止状態における基本構成を示した６面図であり、（ａ）は背面方向からの端面図に関するもの，（ｂ）は左側面図に関するもの，（ｃ）は外側主面方向からの平面図に関するもの，（ｄ）は右側面図に関するもの，（ｅ）は正面方向からの端面図に関するもの，（ｆ）は内側主面方向からの平面図に関するものである。
【図４】図１に示すカードコネクタに備えられるカバーの細部構成を示した斜視図であり、（ａ）は外側主面方向に関するもの，（ｂ）は内側主面方向に関するものである。
【図５】図１に示すカードコネクタに備えられるカバーの基本構成を示した３面図であり、（ａ）は外側主面方向からの平面図に関するもの，（ｂ）は右側面図に関するもの，（ｃ）は正面方向からの端面図に関するものである。
【図６】図５（ｃ）中に示す局部領域の細部構成を一部破断して示した拡大図であり、（ａ）は正面方向からの端面図に関するもの，（ｂ）は正面斜め方向からの斜視図に関するものである。
【図７】図４に示すカバーの内側主面方向にあってのパッド部のパターンが異なる別のカードを保持した状態を示した斜視図である。
【図８】図７に示すカバーにあってのカードを保持した状態におけるカード保持部とカードのパッド部との位置関係を一部破断して示した要部の拡大斜視図である。
【符号の説明】
【００２８】
１  インシュレータ
２  コンタクト
３  カバー
４，５  カード保持部
４′，５′  折り返し端片部
６  接触部逃し穴
７ａ，７ｂ  アーム部
８，１８  カード
９，１９  パッド部
９ａ，９ｂ  軸部
１０ａ，１０ｂ  係止部
【図１】
2006085987.tif 000003
【図２】
2006085987.tif 000004
【図３】
2006085987.tif 000005
【図４】
2006085987.tif 000006
【図５】
2006085987.tif 000007
【図６】
2006085987.tif 000008
【図７】
2006085987.tif 000009
【図８】
2006085987.tif 000010